(57)【要約】【課題】建設機械のカウンタウエイトへ加飾テープを貼着し易くする。【解決手段】カウンタウエイト１１の後面板１３から左右の側面板１４に亙って略水平方向に溝部１７を設け、且つ、該溝部１７の底面１７ａを平面形状にする。従って、該溝部の底面１７ａに加飾テープ２０を貼着し易い形状となり、加飾テープ２０の貼着作業が簡単且つ短縮することができ、しかも、綺麗に貼着できて見栄えも良好となる。【選択図】  図２
2004244857.tif 000002
【特許請求の範囲】
【請求項１】
上面板、下面板、後面板、左右の側面板のうち少なくとも後面板が湾曲面であり、且つ、少なくとも後面板と左右の側面板とがなす稜線部が湾曲した形状であるカウンタウエイトを備えた建設機械に於いて、前記後面板から左右の側面板に亙って略水平方向に溝部を設け、且つ、該溝部の底面を平面形状にしたことを特徴とする建設機械のカウンタウエイト。
【請求項２】
上記上面板と左右の側面板とはプレス加工にて一体的に成形され、且つ、上記溝部もプレス加工にて成形された請求項１記載の建設機械のカウンタウエイト。
【請求項３】
上記溝部に加飾テープを貼着した請求項１または２記載の建設機械のカウンタウエイト。
【発明の詳細な説明】
【０００１】
【発明の属する技術分野】
本発明は建設機械のカウンタウエイトに関するものであり、特に、カウンタウエイトの美観向上に関するものである。
【０００２】
【従来の技術】
従来、上面板、下面板、後面板、側面板のうち少なくとも後面板が湾曲面であり、且つ、少なくとも後面板と左右の側面板とがなす稜線部が湾曲した形状であるカウンタウエイトを備えた建設機械が知られている。該カウンタウエイトは、上面板、下面板、後面板、側面板から形成される丸みを帯びた中空構造であり、その内部に重量調整材を充填して必要な重量を得ている（例えば、特許文献１参照）。
【０００３】
【特許文献１】
特許第２６６０６０５号公報（第１〜４頁、第１図〜５図）。
【０００４】
【発明が解決しようとする課題】
一般に、建設機械のカウンタウエイトには美観向上や会社名表示等のために、その表面に加飾テープを貼着することがある。例えば、図３に示すように、カウンタウエイト１の後面板２から左右の側面板３に亙って加飾テープ４を貼着する場合、該カウンタウエイト１が湾曲した形状であるため、加飾テープ４を綺麗に貼着できなかった。
【０００５】
例えば、図４（ａ）に示すように、後面板２と左右側面板３とがなす稜線部５が丸みを帯びており、しかも、左右側面板３が下方へ向けて幅狭になっているので、加飾テープ４を貼着すべき前記稜線部５が、加飾テープ４の上縁側４ａと下縁側４ｂとで長さに差異が生じ、加飾テープ４の下縁側４ｂに皺や弛みができて美観が悪くなる。従来はこれを防止するために、図４（ｂ）に示すように、加飾テープ４の前記稜線部５に接触する部分を切断し、小片の加飾テープ４ｃとして複数枚に分割して貼着していた。このため、作業工数が増加してコストアップになるとともに、見栄えが悪くなって美観が低下していた。
【０００６】
そこで、建設機械のカウンタウエイトへ加飾テープを貼着し易くするために解決すべき技術的課題が生じてくるのであり、本発明はこの課題を解決することを目的とする。
【０００７】
【課題を解決するための手段】
本発明は上記目的を達成するために提案されたものであり、上面板、下面板、後面板、左右の側面板のうち少なくとも後面板が湾曲面であり、且つ、少なくとも後面板と左右の側面板とがなす稜線部が湾曲した形状であるカウンタウエイトを備えた建設機械に於いて、前記後面板から左右の側面板に亙って略水平方向に溝部を設け、且つ、該溝部の底面を平面形状にした建設機械のカウンタウエイト、
及び、上記上面板と左右の側面板とはプレス加工にて一体的に成形され、且つ、上記溝部もプレス加工にて成形された建設機械のカウンタウエイト、
及び、上記溝部に加飾テープを貼着した建設機械のカウンタウエイトを提供するものである。
【０００８】
【発明の実施の形態】
以下、本発明の一実施の形態を図１及び図２に従って詳述する。図１は建設機械の一例として油圧ショベルのカウンタウエイト１１を示し、該カウンタウエイト１１は上面板１２、下面板（図示せず）、後面板１３、左右の側面板１４のうち上面板１２が略平面形状であり、後面板１３と側面板１４が湾曲面を有している。そして、上面板１２と後面板１３とがなす稜線部１５と、後面板１３と左右の側面板１４とがなす稜線部１６とが夫々湾曲した形状である。
【０００９】
前記上面板１２、下面板、後面板１３、左右の側面板１４は鋼板を使用しており、後面板１３と左右の側面板１４とはプレス加工にて一体的に成形されている。即ち、該カウンタウエイト１１は上面板１２、下面板、後面板１３、左右の側面板１４から形成される全体に丸みを帯びた中空構造であり、その内部にコンクリート等の重量調整材を充填して必要な重量を得ている。
【００１０】
ここで、前記後面板１３から左右の側面板１４に亙って略水平方向に溝部１７を設けてあり、該溝部１７の底面（上下方向の幅部分）１７ａを平面形状にしてある。この溝部１７もプレス加工にて成形されている。即ち、溝部１７の縦断面視がコ字形状となっており、図２に示すように、底面１７ａが傾斜せずに平滑面であるため、カウンタウエイト１１の美観が向上する。
【００１１】
該溝部１７はプレス加工にて成形されるので、寸法精度が高く底面１７ａの平滑度が良好で、しかも、加工費が安価であるため製作費用をコストダウンできる。また、前記溝部１７を設けたことにより、カウンタウエイト１１に加飾テープ２０を貼着し易い形状となり、加飾テープ２０を貼着する際に、加飾テープ２０の上縁側または下縁側の何れか一方に皺が寄ったり弛緩することがなく、加飾テープ２０の貼着作業が簡単且つ短縮することができ、しかも、綺麗に貼着できて見栄えも良好となる。
【００１２】
尚、本発明は、本発明の精神を逸脱しない限り種々の改変を為すことができ、そして、本発明が該改変されたものに及ぶことは当然である。
【００１３】
【発明の効果】
本発明は上記一実施の形態に詳述したように、請求項１記載の発明は、少なくとも後面板が湾曲面であり、後面板と左右の側面板とのなす稜線部が湾曲した形状のカウンタウエイトを備えた建設機械に於いて、前記後面板から左右の側面板に亙って略水平方向に溝部を設け、且つ、該溝部の底面を平面形状にしたことにより、カウンタウエイトの美観が向上する。また、該溝部を設けたことにより、加飾テープを貼着し易い形状となり、斯かる場合は、より一層美観を向上することができる。
【００１４】
請求項２記載の発明は、上記上面板と左右の側面板とはプレス加工にて一体的に成形され、上記溝部もプレス加工にて成形されるので、請求項１記載の発明の効果に加えて、カウンタウエイトの寸法精度が高く、且つ、前記溝部の底面の平滑度も良好である。しかも、プレス加工にて一体的に成形されるので、加工費が安価であり、製作費用をコストダウンできる。
【００１５】
請求項３記載の発明は、上記溝部に加飾テープを貼着したので、請求項１または２記載の発明の効果に加えて、カウンタウエイトに加飾テープを貼着し易い形状となり、加飾テープを簡単且つ短時間にて貼着することができる。また、加飾テープの何れか一方に皺が寄ったり弛緩することがなく、見栄えも良好となって、カウンタウエイトの美観向上に寄与できる等、正に諸種の効果を奏する発明である。
【図面の簡単な説明】
【図１】本発明の一実施の形態を示し、建設機械の後部斜視図。
【図２】本発明の一実施の形態を示し、（ａ）カウンタウエイトの部分斜視図。
（ｂ）図２（ａ）のＡ−Ａ矢視部分の縦断面図。
【図３】従来技術を示し、建設機械の後部斜視図。
【図４】従来技術を示し、（ａ）貼着された加飾テープに弛みが生じた状態のカウンタウエイトの部分斜視図、（ｂ）加飾テープを小片に分割して貼着した状態のカウンタウエイトの部分斜視図。
【符号の説明】
１１        カウンタウエイト
１２        上面板
１３        後面板
１４        側面板
１５        稜線部
１６        稜線部
１７        溝部
１７ａ      底面
２０        加飾テープ
【図１】
2004244857.tif 000003
【図２】
2004244857.tif 000004
【図３】
2004244857.tif 000005
【図４】
2004244857.tif 000006